(57)【要約】【課題】扉前面におけるガラス平面部の占める面積を拡大して、扉がふき取りなど手入れをしやすくすること。【解決手段】加熱調理庫扉の前面には少なくとも扉２８の前面を覆うガラス３１と、ガラスの表面側の上部に扉の開閉操作を行うための把手３２とを備え、把手の構成部材がガラスの外周辺を乗り越えて扉ベースと連結固定している。【選択図】図２
2010169351.tif 000002
【特許請求の範囲】
【請求項１】
庫内に発熱体を配した加熱調理庫の前面に前記加熱調理庫を使用時に開閉する扉を備え、前記扉の前面には少なくとも前記扉の前面を覆うガラスと、前記ガラスの表面側に前記扉の開閉操作を行うための把手とを備え、前記把手と前記ガラスを含む扉本体との連結は、把手構成部材が前記ガラスの外周辺を乗り越えて前記扉の基材である扉ベースと連結固定した加熱調理器。
【請求項２】
扉に装着した把手は外部構成部材を非金属製とし、前記外部構成部材よりも高衝撃強度の補強部材を、前記外部構成部材が前記扉の前面を覆うガラスの外周辺を乗り越える部分の内部に配置した請求項１に記載の加熱調理器。
【請求項３】
把手の外部構成部材の内側に配した補強部材を、扉前面を覆うガラスの外周辺を乗り越える片方の端部を前記扉の基材である扉ベースに固定し、他端を前記把手の外部構成部材に固定した請求項２に記載の加熱調理器。
【請求項４】
把手の外部構成部材の内側に配した補強部材を、片方の端部を扉ベースと固定し上向きに形成し、扉前面を覆うガラスの上端辺を乗り越えた後下向きに折り返して延長し、さらに前記把手の外部構成部材と連結する部分で、他方の端部を上向きに折り返して延長した請求項２または３に記載の加熱調理器。
【請求項５】
把手の外部構成部材は、扉ベース連結部と持ち手外観形状部の２部品から成り、前記扉ベース連結部に、扉の基材である扉ベース狭持部と扉引張部とを形成した請求項２〜４のいずれか１項に記載の加熱調理器。
【請求項６】
把手の外部構成部材のうち、扉ベース連結部の内方に補強部材が収納され、前記補強部材の一端と前記扉の基材である扉ベースとの間に前記扉ベース連結部を挟み込んで固定し、前記補強部材の他端を前記扉ベース連結部と固定した請求項５に記載の加熱調理器。
【発明の詳細な説明】
【技術分野】
【０００１】
本発明は、一般家庭等で使用する、魚などの被調理物を調理する加熱調理庫を備える加熱調理器の加熱調理庫に備える扉の把手構成に関するものである。
【背景技術】
【０００２】
従来、この種の加熱調理器の加熱庫の扉の構成を図５に示す。図５は、従来の加熱調理器の扉部斜視図を示すものである。図５に示すように、扉１は裏面から見て、覗き窓２を有する扉ベース（引用文献では金属製ドアカバー）３と、扉ベース３の前面を覆うガラス板４と、扉ベース３とガラス板４の上端部を覆う樹脂製把手５により構成されており、ガラス板４の上部は扉ベース３と把手５とにより挟持されている。
【０００３】
扉ベース３の下端部は前方に折曲され、さらに上方に折曲されることで、ガラス板４の下端部は扉ベース３の下端折曲部により保持されており、扉ベース３とガラス板４との間には所定の空間が形成されている。
【０００４】
図６は、従来の加熱調理器の加熱庫を表側から見た分解斜視図を示す。
【０００５】
このような構成により、ガラス板４上部を扉ベース３と樹脂製把手５とで挟持するので、少ない部品点数で扉１を構成できるものである（例えば、特許文献１参照）。
【特許文献１】特開２００６−３３６８９８号公報
【発明の開示】
【発明が解決しようとする課題】
【０００６】
しかしながら、前記従来の構成では、ガラス板４の上部表面と把手５の下部が、ガラス板４の裏面と扉ベース３が重なってガラス板４を挟持しているので、図６のように扉１前面範囲のうちガラス板４より上の範囲全体が把手５を構成する部材で占められ、ガラス板４の平面より上の範囲は把手５を構成する樹脂部材による凹凸がある面となり、拭き取り手入れにおいては凹凸部が拭き取りにくいものであった。
【０００７】
また、扉を構成するガラス板４を把手５が重なり合うことで保持するので、ガラスの熱が把手に直接伝わり、把手の温度が上昇しやすいものであり、把手操作時の温度が高くなるとともに、把手を構成する樹脂材料や表面処理の選択に制限があるという課題を有していた。
【０００８】
また、把手の具体構成について記載はなく、把手の温度低減手段は不明である。
【０００９】
本発明は、前記従来の課題を解決するもので、扉前面におけるガラス平面部の占める面積を拡大して、扉がふき取りなど手入れしやすくした加熱調理器を提供することを目的とする。
【課題を解決するための手段】
【００１０】
前記従来の課題を解決するために、本発明の加熱調理器は、加熱調理庫の前面に加熱調理庫を使用時に開閉する扉を備え、扉の前面には少なくとも扉の前面を覆うガラスと、ガラスの表面側の上部に扉の開閉操作を行うための把手とを備え、把手とガラスを含む扉本体との連結は、把手の構成部材がガラスの外周辺を乗り越えて扉ベースと連結固定したものである。
【００１１】
これによって、扉前面におけるガラス平面部の占める面積を拡大できるとともに、把手および把手構成部品を小型化して把手とガラスを含む扉本体とを連結できるので、ガラスに把手連結のための穴や切り欠きが無く、ガラスを簡素形状にできる。
【発明の効果】
【００１２】
本発明の加熱調理器は、扉前面におけるガラス平面部の占める面積を拡大して、扉がふき取りなど手入れをしやすくすることができる。
【発明を実施するための最良の形態】
【００１３】
第１の発明は、庫内に発熱体を配した加熱調理庫の前面に加熱調理庫を使用時に開閉する扉を備え、扉の前面には少なくとも扉の前面を覆うガラスと、ガラスの表面側に扉の開閉操作を行うための把手とを備え、把手とガラスを含む扉本体との連結は、把手構成部材がガラスの外周辺を乗り越えて扉の基材である扉ベースと連結固定している。
【００１４】
これにより、扉前面におけるガラス平面部の占める面積を拡大して、扉がふき取りなど手入れしやすいものを得るとともに、把手および把手構成部品を小型化して把手とガラスを含む扉本体とを連結するために、ガラスに把手連結のための穴や切り欠きが無く、ガラスを簡素形状である長方形とすることができる。
【００１５】
第２の発明は、特に、第１の発明の扉に装着した把手の外部構成部材を非金属製とし、外部構成部材よりも高衝撃強度の補強部材を、外部構成部材が扉前面を覆うガラスの外周辺を乗り越える部分の内部に配置することにより、把手の外部構成部材がガラス乗り越える部のコーナー部分など形状変化部に生じる応力を補強部材で吸収し、把手全体の強度を得ることができる。
【００１６】
把手構成部材がガラスを乗り越える構成において、扉を開閉するために把手を持って操作した時の引押力が、把手構成部材がガラス乗り越える部分で曲げモーメントとなり、把手構成部材に曲げ力が作用し、ガラス乗り越え部のコーナー部分など形状変化部に応力が集中し強度が低下するのを防止することができる。
【００１７】
第３の発明は、特に、第２の発明の把手の外部構成部材の内側に配した補強部材を、扉前面を覆うガラスの外周辺を乗り越える片方の端部を扉の基材である扉ベースに固定し、他端を把手の外部構成部材に固定する。
【００１８】
これにより、補強部材と扉ベースと把手外部構成部材とが一体に連結固定され、把手外部構成部材に加えられた扉操作力が補強部材を介し扉ベースに伝わるので、外部構成部材に加わる力を低減することができる。
【００１９】
第４の発明は、特に、第２または第３の発明の把手の外部構成部材の内側に配した補強部材を、片方の端部を扉ベースと固定し上向きに形成し、扉前面を覆うガラスの上端辺を乗り越えた後下向きに折り返して延長し、さらに把手の外部構成部材と連結する部分で、他方の端部を上向きに折り返して延長する。
【００２０】
これにより、グリル庫内の熱が、両端を把手と扉ベースとに固定した補強部材を介して伝導し、把手が熱くなるのを、補強部材の展開長さを長くして熱伝導経路を長くすることで低減し、把手の温度低減を図ることができる。
【００２１】
第５の発明は、特に、第２〜４のいずれか１つの発明において、把手の外部構成部材は、扉ベース連結部と持ち手外観形状部の２部品から成り、扉ベース連結部に、扉の基材である扉ベース狭持部と扉引張部とを形成した構成とする。
【００２２】
これにより、扉の開力は把手の外部構成部材のうち扉ベース連結部にかかるので、外観形状を構成する持ち手外観形状部の形状や材質に対する制約が小さくなり、形状や材質および表面処理の選択の自由度を増すことができる。
【００２３】
第６の発明は、特に、第５の発明において、把手の外部構成部材のうち、扉ベース連結部の内方に補強部材が収納され、補強部材の一端と扉の基材である扉ベースとの間に扉ベース連結部を挟み込んで固定し、補強部材の他端を扉ベース連結部と固定する。
【００２４】
これにより、把手の外部構成部材が、扉ベース連結部と持ち手外観形状部とで構成され、補強部材と持ち手外観形状部とは直接繋がらないので、持ち手外観形状部の温度低減を図り、持ち手外観形状部の材質や表面処理の選択自由度を増すことができる。
【００２５】
以下、本発明の実施の形態について、図面を参照しながら説明する。なお、この実施の形態によって、本発明が限定されるものではない。
【００２６】
（実施の形態１）
図１は本発明の第１の実施の形態における加熱調理器の斜視図、図２は本発明の第１の実施の形態における加熱調理器の扉部分解斜視図、図３は本発明の第１の実施の形態における加熱調理器の扉部縦断面図（図１のＡ−Ａにおける断面図）、図４は本発明の第１の実施に形態における加熱調理器の扉部縦断面図（図１のＢ−Ｂにおける部分断面図）を示すものである。
【００２７】
図１において、調理器本体２１はキッチン等に組込み設置して使用するもので、本体２１の上面は結晶化ガラスを素材としたトッププレート２２の周囲を金属製のトップフレーム２３で囲んで覆われている。
【００２８】
トッププレート２２には加熱部２４ａ、２４ｂが印刷されている。トッププレート２２後方で本体２１後部の部分には外部通気口を覆う通気パネル２５を配置している。加熱部２４ａ、２４ｂに対応する本体内部には誘導加熱手段を構成する加熱コイル２６ａ、２６ｂ（図示せず）が配されている。
【００２９】
トップフレーム２３下部で本体２１の前面は、庫内にシーズヒーターを発熱体として備え、食材を加熱調理するグリル２７の扉２８と、扉２８側方で本体前面を覆う前面カバー２９とでその大部分を覆われている。
【００３０】
前面カバー２９内方には本体２１の内部部品を冷却する冷却ファン３０（図示せず）を備えている。
【００３１】
扉２８は、前面に扉２８の前面の大部分を占める覆うガラス３１と、ガラス３１の表面側上部に扉２８の開閉操作を行うための把手３２を備える。
【００３２】
図２において、把手３２とガラス３１を含む扉２８本体との連結は、把手３２の構成部材の一つである扉ベース連結部３３を介して、扉２８の基材である扉ベース３４と固定している。
【００３３】
扉ベース連結部３３の断面形状は上方に伸びた後、ガラス３１の外周辺である上端辺を乗り越えるように横向きに曲がり、ガラス３１の上端辺を乗り越えた後、下向きに曲がって扉２８の基材である扉ベース３４と連結固定している。
【００３４】
把手３０の構成部材の一つである扉ベース連結部３３の断面内部にガラス３１が潜り込む形状となり、扉２８を正面から見るとガラス３１の一部分に扉ベース連結部３３がかぶさった構成としている。
【００３５】
以上のように構成された加熱調理器について、以下その動作、作用を説明する。
【００３６】
ガラス３１は、扉ベース連結部３３の断面形状が上方に伸びた部分で扉ベース３４の方向に押えられて固定されるので、扉ベース連結部３３の大きさはガラス３１の幅全体にわたる大きさが必要条件ではなく、把手３２を操作するための大きさがあればよい。
【００３７】
従って、扉ベース連結部３３の両端部からガラス３１を露出するように把手３２を小型化できる。
【００３８】
これにより、扉２８の前面におけるガラス３１の平面部の占める面積が拡大され、扉２８を拭き取りやすくして、手入れしやすいものを得ることができる。
【００３９】
また、把手３２はガラス３１の上部両端部が露出した中央部に取り付いた形となるが、扉ベース連結部３３の断面形状は上方に伸びた後、ガラス３１の上端辺を乗り越えるように横向きに曲がり、ガラス３１の上端辺を乗り越えた後、下向きに曲がって扉２８の基材である扉ベース３４と連結固定されるので、ガラス３１に把手３２との連結のための穴や切り欠きを設けることなく、ガラス３１を簡素形状である長方形として、把手３２および把手３２の構成部品である扉ベース連結部３３を小型化して把手３２とガラス３１を含む扉２８本体とを連結することができる。
【００４０】
また、扉２８に装着した把手３２の外部構成部材は、扉ベース３４に固定される扉ベース連結部３３と、扉ベース連結部３３の前方に嵌合して把手３２の外観形状を形成する持ち手外観形状部３５の２部品から成る。
【００４１】
これら扉ベース連結部３３と持ち手外観形状部３５とは、外視されるとともにグリル２７を使用する際において扉２８の開閉操作のために直接持ち、また触れやすい部位になるので、熱伝導を低減し体感温度を下げるため、非金属である樹脂で構成している。
【００４２】
扉ベース連結部３３が扉２８の前面を覆うガラス３１の外周辺である上端辺を乗り越える部分の内部に、把手３２の外部構成部材である扉ベース連結部３３と持ち手外観形状部３５よりも高衝撃強度で耐食性を得る金属であるステンレス鋼を素材とした補強部材３６を配置している。
【００４３】
つまり、このような把手構成部材の一部である扉ベース連結部３３が、ガラス３１乗り越える構成において、扉ベース連結部３３がガラス乗り越える部分で、断面形状が上方に伸びた後、ガラス３１の上端辺を乗り越えるように横向きに曲がり、ガラス３１の上端辺を乗り越えた後下向きに曲がり、扉２８の基材である扉ベース３４と連結固定されるので、扉２８を開閉するために把手３２を持って操作する時の引押力が、扉ベース連結部３３が上方に伸びるため折れ曲がり部で曲げモーメントとなり、扉ベース連結部３３に曲げ力が作用し、応力が集中し強度が低下することになる。
【００４４】
これに対処するため、外部構成部材である扉ベース連結部３３よりも高衝撃強度のステンレス鋼を素材とした補強部材３６を、扉ベース連結部３３が扉２８の前面を覆うガラス３１の上端辺を乗り越える部分の内部に配置することで、把手３２の外部構成部材である扉ベース連結部３３がガラス３１乗り越える部位である折れ曲がり部など形状変化部に生じる応力を補強部材で緩和し、把手全体の強度を向上することができる。
【００４５】
また、把手３２の外部構成部材である扉ベース連結部３３の内側に配した補強部材３６は、扉２８の前面を覆うガラス３１の外周辺である上端辺を乗り越える片方の端部を扉２８の基材である扉ベース３４に固定し、他方の端部を把手３２の外部構成部材である扉ベース連結部３３に固定している。
【００４６】
これにより、補強部材３６と扉ベース３４と把手３２の外部構成部材である扉ベース連結部３３とが一体に連結固定され、扉ベース連結部３３に加えられた扉２８の操作力を、補強部材３６を介し扉ベース３４に伝えることができ、外部構成部材である扉ベース連結部３３に作用する扉２８の操作力を大幅に低減し、扉ベース連結部３３がガラス３１の乗り越える部位である折れ曲がり部など形状変化部に生じる応力が大幅に低減され、扉ベース連結部３３が破損し難くできる。
【００４７】
また、把手３２の外部構成部材である扉ベース連結部３３の内側に配した補強部材３６の形状は、片方の端部に扉ベース固定部３７を形成してさらに上向きに延長し、扉２８の前面を覆うガラス３１の上端辺を乗り越えるように上折返し部３８で下向きに折り返して延長し、さらに把手３２の外部構成部材である扉ベース連結部３３と連結するための把手連結部３９を形成するために、下折返し部４０で上向きに折り返して延長している。補強部材３６の他方の端部は把手連結部３９からさらに前向きに折り曲げられ、扉ベース連結部３３との位置決めとなる当てフランジ４１を形成している。
【００４８】
これにより、上下方向に折り返しながら形成された補強部材３６は、形成材料を展開時の形状の両端付近で、把手３２の外部構成部材である扉ベース連結部３３と扉ベース３３とに固定され、グリル２７の庫内で発生する熱が伝導し、把手３２の外部構成部材である扉ベース連結部３３と持ち手外観形状部３５が熱くなることに対し、補強部材３６の形成材料の展開長さを長くして熱伝導経路を長くすることで伝達熱量を低減し、把手３２を構成する扉ベース連結部３３と扉ベース３３の温度低減を図ることができる。
【００４９】
また、把手３２の外視部分を形成する外部構成部材は、扉ベース連結部３３と持ち手外観形状部３５の２部品を組み合わせて成るが、扉ベース連結部３３には、扉２８の基材である扉ベース３４との固定部である扉ベース狭持部４２と、扉引張部４３とが形成されている。
【００５０】
これにより、扉２８を開閉操作する開力は、把手３２の外部構成部材である扉ベース連結部３３と持ち手外観形状部３５の２部品のうち、扉２８を開時に指先を引っ掛けて操作力を作用させる扉引張部４３を形成している扉ベース連結部３３にかかることになる。
【００５１】
従って、把手３２の外観形状を構成する持ち手外観形状部３５に作用する力を低減して、持ち手外観形状部３５の形状や材質に対して、強度に対する制約が低減され、持ち手外観形状部３５を構成する形状や材質の選択の自由度が増す。
【００５２】
さらに、図３に示すように、扉ベース狭持部４２は扉ベース３４の内面に当接し、扉ベース連結部３３の下側から補強部材３６を挿入して収納し、扉ベース狭持部４２の手前側に補強部材３６の一端部分である扉ベース固定部３７が位置し、ねじＡ４４が扉ベース３４と扉ベース狭持部４２とを貫通し、扉ベース固定部３７に締め込まれている。
【００５３】
このような構成により、扉ベース３４と把手３２の一部分である扉ベース連結部３３とが連結固定される。
【００５４】
加えて、図４に示すように扉ベース連結部３３には、内部フランジ４５が補強部材３６
の他端部分である把手連結部３９と当接する位置に横向きに配置され、内部フランジ４５の切り欠き４６に把手連結部３９が嵌り込み、内部フランジ４５を介しねじＢ４７で把手連結部３９が固定されている。
【００５５】
これにより、扉ベース連結部３３の扉ベース挟持部４２と内部フランジ４５との間に生じる力が補強部材３６に分散され、扉ベース連結部３３がガラス３１を乗り越える形状のため曲げモーメントが生じる部分が、補強部材３６により補強される。
【００５６】
これにより、把手３２の外部構成部材を構成する扉ベース連結部３３と持ち手外観形状部３５のうち、持ち手外観形状部３５と補強部材３６とは直接繋がらない。
【００５７】
これにより、持ち手外観形状部３５に補強部材３６から伝導する熱が低減されて、持ち手外観形状部３５の温度低減を図ることができ、持ち手外観形状部３５を構成する材質や表面処理の制約が低減し、選択自由度を増すことができる。
【００５８】
なお図３は、ねじＡ４４部分での把手３２の断面図、図４は、ねじＢ４７部分での把手３２の断面図である。
【００５９】
以上のように、本実施の形態においては、加熱調理庫の前面に加熱調理庫を使用時に開閉する扉を備え、扉の前面には少なくとも扉の前面を覆うガラスと、ガラスの表面側の上部に扉の開閉操作を行うための把手とを備え、把手とガラスを含む扉本体との連結は、把手の構成部材がガラスの外周辺を乗り越えて扉ベースと連結固定したものである。これによって、扉前面におけるガラス平面部の占める面積を拡大して、扉がふき取りなど手入れをしやすくすることができる。
【産業上の利用可能性】
【００６０】
以上のように、本発明にかかる加熱調理器は、加熱調理庫の扉前面におけるガラス平面部の占める面積を拡大して、扉がふき取りなど手入れをしやすくすることができるので、調理器に有効である。
【図面の簡単な説明】
【００６１】
【図１】本発明の実施の形態１における加熱調理器の斜視図
【図２】本発明の実施の形態１における加熱調理器の扉部分解斜視図
【図３】本発明の実施の形態１における加熱調理器の扉部縦断面図
【図４】本発明の実施の形態１における加熱調理器の扉部縦断面図
【図５】従来の加熱調理器の扉部斜視図
【図６】従来の加熱調理器の加熱庫を表側から見た分解斜視図
【符号の説明】
【００６２】
２８  扉
３１  ガラス
３２  把手
３３  扉ベース連結部
３４  扉ベース
３５  持ち手外観形状部
３６  補強部材
３７  扉ベース固定部
４３  扉引張部
【図１】
2010169351.tif 000003
【図２】
2010169351.tif 000004
【図３】
2010169351.tif 000005
【図４】
2010169351.tif 000006
【図５】
2010169351.tif 000007
【図６】
2010169351.tif 000008